(57)【要約】【課題】吸水性と強度を向上し、且つ、衛生的な使い捨て携帯用紙ハンカチを提供することを課題としている。【解決手段】  柔らかく水に溶けにくい合成繊維の不織布または木材から得られるパルプ等の一枚又は二枚以上を重ね合わせた平判衛生用紙からなる紙ハンカチと、該紙ハンカチを複数枚折り畳んで集層して装入するためのビニール袋とから構成し、該紙ハンカチの厚さを既存のティッシュペーパーと比して顕著な厚みを有することで吸水性と強度を向上させた。また、湿潤紙力増強剤を添加することで更に強度を向上させる態様や、抗菌処理を施す態様とすることもできる。【選択図】図２
0003151409.tif 000002
【実用新案登録請求の範囲】
【請求項１】
柔らかく水に溶けにくい合成繊維の不織布又は木材から得られるパルプ等の一枚又は二枚以上を重ね合わせた平判衛生用紙からなる紙ハンカチと、該紙ハンカチを複数枚折り畳んで集層して装入するためのビニール袋と、からなる携帯用紙ハンカチにおいて、該紙ハンカチの厚さが、既存のティッシュペーパーと比して顕著な厚みを有することを特徴とする使い捨て携帯用紙ハンカチ。
【請求項２】
前記紙ハンカチが抄紙のときに、湿潤紙力増強剤を添加したことを特徴とする請求項１に記載の使い捨て携帯用紙ハンカチ。
【請求項３】
前記紙ハンカチに、抗菌処理を施したことを特徴とする請求項１または請求項２に記載の使い捨て携帯用紙ハンカチ。
【考案の詳細な説明】
【技術分野】
【０００１】
本考案は、洗った手を拭く、汗を拭うなどに使われるハンカチに関し、特に、吸水性と強度を向上し、且つ、衛生的な使い捨て携帯用紙ハンカチに関するものである。
【背景技術】
【０００２】
従来から、鼻をかんだり化粧をぬぐう場合などに、薄く柔らかい衛生用紙を二枚一組にしたティッシュペーパーが使われている。ティッシュペーパーは柔軟性に富み素材としても柔らかいため、様々な日用品として利用されている。原料は主に木材から得られるパルプであり、日本人の年間消費量は世界一である。そして、このティッシュペーパーを小さなビニール袋の中に１０枚程度入ったポケットティッシュが販売されており、街頭や店頭等で販売促進用等として配布されたりすることも多い。
【０００３】
このような背景から、肌への使用感をより柔らかくする技術や（例えば、特許文献１参照）、引張強さ、耐折強さ、破裂強さ、引裂強さ等の強度を向上する技術等も種々提供されている（例えば、特許文献２参照）。
【０００４】
これに対し、手や顔を洗った後に用いられる綿等の織物を素材としたハンカチは、ポケットの中に入れ複数回使用することから衛生的でなく、エアーウォッシュの普及等からハンカチを持たない人が増えており、中にはポケットティッシュで代用している人もいる。
【特許文献１】特開平２−２２４６２６号広報
【特許文献２】特開２００６−１６９６８９号公報
【考案の開示】
【考案が解決しようとする課題】
【０００５】
しかしながら、ポケットティッシュをハンカチに代用する場合、厚みがないため吸水可能な絶対量が少なく、また、顔を洗った後などの拭き取りに使用すると磨耗により剥がれた紙の滓が付着するという問題点もある。これらの問題は、上述した特許文献１及び特許文献２に記載のティッシュペーパーをもってしても解決には至らないものである。
【０００６】
そこで、本考案は、上記事情に鑑みてなされたものであり、吸水性と強度を向上し、且つ、衛生的な使い捨て携帯用紙ハンカチを提供することを課題としている。
【課題を解決するための手段】
【０００７】
前述の課題を解決するために、本考案は、柔らかく水に溶けにくい合成繊維の不織布または木材から得られるパルプ等の一枚又は二枚以上を重ね合わせた平判衛生用紙からなる紙ハンカチと、該紙ハンカチを複数枚折り畳んで集層して装入するためのビニール袋とから構成され、該紙ハンカチの厚さを既存のティッシュペーパーと比して顕著な厚みを有する構造とする。
【０００８】
また、前記紙ハンカチが抄紙のときに、湿潤紙力増強剤を添加する構成とすることもできる。
【０００９】
さらに、前記紙ハンカチに、抗菌処理を施した構成とすることもできる。
【考案の効果】
【００１０】
本考案に係る使い捨て携帯用紙ハンカチによれば、通常のティッシュペーパーと比して厚みがあるため、多量の水分を吸水でき、また、引張強さ、耐折強さ、破裂強さ、引裂強さ、圧縮強さなどの強度を高めるという優れた効果がある。
【００１１】
また、本考案に係る使い捨て携帯用紙ハンカチによれば、使い捨てであるため従来の綿等のハンカチと比して衛生的であるという優れた効果が発揮できる。
【００１２】
さらに、本考案に係る使い捨て携帯用紙ハンカチによれば、紙ハンカチの素材に、合成繊維の不織布を用いる構成とする場合においては、複数の素材を容易に組み合わせることができるため、厚みや空隙を簡単に変更でき、コストも抑えることができるという効果も発揮する。
【００１３】
またさらに、本考案に係る使い捨て携帯用紙ハンカチによれば、抗菌処理を施すことで、より抗菌性の高い紙ハンカチを提供できるという効果を発揮する。
【考案を実施するための最良の形態】
【００１４】
以下、本考案に係る使い捨て携帯用紙ハンカチを実施するための実施形態について図面を参照しながら説明する。
【００１５】
図１は、本考案に係る使い捨て携帯用紙ハンカチ１を示した斜視図である。図２は、本考案に係る使い捨て携帯用紙ハンカチ１の使用例を示す斜視図である。
【００１６】
使い捨て携帯用紙ハンカチ１に内設される紙ハンカチ２の大きさは、おおむね２０ｃｍ四方で、従来のティッシュペーパーと比して顕著に厚く作られた衛生紙を用いる。具体的には、紙ハンカチ２の総紙厚が、少なくとも８００μｍ以上であることが必要である。また、通常のティッシュペーパーと同様に木材から得られるパルプ等を素材とする場合は耐湿樹脂によって水につけてもほぐれない加工をし、更には湿潤紙力増強剤により強度を上げることもできる。またさらに、不織布を素材とする場合には、吸水性が求められるレーヨン繊維等が考えられるが、これに限定されるものではなく、複数の原料を組み合わせたり、繊維長や太さなどの形状を調整することで特定の目的や用途に応じた機能を持つ紙ハンカチとする。
【００１７】
また、吸水量を確保するために厚くしすぎると硬くなり、薄くすると柔軟性を増し感触はよくなるものの破れやすく水分がにじみ易くなるため、素材によっては薄い素材を二枚重ねることで強度を出し、間に空気の層を作る事でふんわり感を作り、水分を吸収し易くする構成にすることも有効である。なお、かかる二枚重ねの構成とする場合には、肌に触れる方に肌触りの良い表面が来るように裏と裏とを重ね合わせて折り畳む構成とする。
【００１８】
包装用ビニール袋３は、ポケット内に携帯できるサイズが必要なことから、おおむね縦×横×厚さが１２×８×１ｃｍ程度とし、素材にはビニール等を用いる。該包装用ビニール袋３の一面には、図に示すような紙ハンカチ２の取り出すための取り出し口４が設けられている。該取り出し口４は、ミシン目を用いるのがコスト的には有効であるが、係る場合は衛生面を考慮して粘着式のシートにより再密封可能な構成とすることが望ましい。また、ビニール袋用ジッパー、若しくはビニール袋用チャック等により構成することも考え得る。
【００１９】
前記紙ハンカチ２は、複数枚を通常のティッシュペーパーと同様に折りたたんで集層し、前記包装用ビニール袋３の中に装入される。
【００２０】
使用する場合について、取り出し口４がミシン目による場合を例にして説明する。
【００２１】
まず、ミシン目より外方向に引っ張ることでミシン目を断裁し、取り出し口４から紙ハンカチ２を引き抜き使用する。使用後の紙ハンカチ２は可燃物のゴミとして処理する。
【産業上の利用可能性】
【００２２】
本考案に係る使い捨て携帯用紙ハンカチは、従来の布製ハンカチに代わる使用態様のみならず、例えば、機械類の汚れを拭き取るウエスや医療用品等としても使用が可能であり、幅広い分野において利用可能である。
【図面の簡単な説明】
【００２３】
【図１】本考案に係る使い捨て携帯用紙ハンカチを示す斜視図である。
【図２】本考案に係る使い捨て携帯用紙ハンカチの使用状態を示す斜視図である。
【符号の説明】
【００２４】
１  使い捨て携帯用紙ハンカチ
２  紙ハンカチ
３  包装用ビニール袋
４  取り出し口
【図１】
0003151409.tif 000003
【図２】
0003151409.tif 000004